(57)【要約】【課題】圧縮に強く安価な建築物を構築すること。【解決手段】柱４と、柱４の両端部に並行して配置される梁２および土台３と、梁２および土台３への加力により発生するエネルギーを吸収する制振ダンパー５と、制振ダンパー５に接触するように配置される台形部１２と、梁２および土台３に固定される柱状部１１とを備える木製部材１を有する建築物１０を形成した。【選択図】図１
2018193730.tif 000002
【特許請求の範囲】
【請求項１】
第１の長尺体と、
前記第１の長尺体の両端部に、前記第１の長尺体とは垂直方向に互いに並行して配置される一対の第２の長尺体と、
前記第２の長尺体への加力により発生するエネルギーを吸収する制振ダンパーと、
前記一対の第２の長尺体それぞれに固定される第１の部位と、前記制振ダンパーに直接または他部材を介して接触するように配置される第２の部位とを備える木製部材と、
を有することを特徴とする建築物。
【請求項２】
前記第１の部位と前記第２の部位が一体的に形成されている請求項１に記載の建築物。
【請求項３】
前記木製部材の端部には、前記横架材へ水平力が作用したときに前記横架材との接触を抑制する間隙が配置されている請求項１または２に記載の建築物。
【請求項４】
前記木製部材は、前記制振ダンパーに近づくにつれて側面視で上下方向の長さが漸減する請求項１ないし３のいずれかに記載の建築物。
【請求項５】
前記木製部材は、側面視で長さが漸減する複数の木材が束ねられて形成されている請求項１ないし４のいずれかに記載の建築物。
【請求項６】
第１の長尺体の両端部に、前記第１の長尺体とは垂直方向に互いに並行して配置される一対の第２の長尺体それぞれに固定される第１の部位と、
前記第２の長尺体への加力により発生するエネルギーを吸収する制振ダンパーに直接または他部材を介して接触するように配置される第２の部位と、
を有することを特徴とする木製補強具。
【発明の詳細な説明】
【技術分野】
【０００１】
本発明は建築物および木製補強具に関する。
【背景技術】
【０００２】
近年、建築構造物における壁には、地震などによる建築構造物の揺れを壁に仕組まれた制振機構によって減衰させる機能を持たせるような工夫がなされるようになっている。例えば、木造建物の骨組みを構成する、並行する２本の柱材と、一方の柱材に取り付けたダンパー体と、一端部をダンパー体に取り付け、他端部を他方の柱材の高さ方向に異なる位置にそれぞれ取り付けた、複数本のブレース材とを備える制振構造が知られている。
【先行技術文献】
【特許文献】
【０００３】
【特許文献１】特開２００６−２０７２９２号公報
【発明の概要】
【発明が解決しようとする課題】
【０００４】
引用文献１に示すように、制振装置としてのブレースには、鋼材を利用しているケースが多い。しかしながら、鋼材は圧縮に弱く座屈し易い。このため圧縮に強くしようとして断面積を大きくすると、コストが増大する。
１つの側面では、本発明は、圧縮に強く安価な建築物を構築することを目的とする。
【課題を解決するための手段】
【０００５】
上記目的を達成するために、開示の建築物が提供される。この建築物は、第１の長尺体と、第１の長尺体の両端部に並行して配置される一対の第２の長尺体と、第２の長尺体への加力により発生するエネルギーを吸収する制振ダンパーと、一対の第２の長尺体それぞれに固定される第１の部位と、制振ダンパーに直接または他部材を介して接触するように配置される第２の部位とを備える木製部材と、を有する。
【発明の効果】
【０００６】
１態様では、圧縮に強く安価な建築物を構築することができる。
【図面の簡単な説明】
【０００７】
【図１】第１の実施の形態の建築物を示す図である。
【図２】第１の実施の形態の建築物を示す斜視図である。
【図３】第２の実施の形態の建築物を示す図である。
【図４】第２の実施の形態の建築物を示す斜視図である。
【図５】変形例の建築物を説明する図である。
【発明を実施するための形態】
【０００８】
以下、実施の形態の建築物を、図面を参照して詳細に説明する。
＜第１の実施の形態＞
【０００９】
図１は、第１の実施の形態の建築物を示す図である。図２は、第１の実施の形態の建築物を示す斜視図である。なお、図２では制振ダンパーの図示を省略している。
【００１０】
第１の実施の形態の建築物１０は、梁２と土台３と柱４とで形成される軸組に木製部材（補強具）１が配置されている。梁２および土台３は、第２の長尺体の一例であり、柱４は、第１の長尺体の一例である。梁２、土台３および柱４の材料は特に限定されないが、例えば木材等が挙げられる。
【００１１】
柱４のほぼ中央部には、梁２や土台３への加力により発生するエネルギーを吸収する制振ダンパー５が配置されている。制振ダンパー５は、振動時に減衰力を発生する。制振ダンパー５の種類は特に限定されないが、一定の荷重以上で滑りが生じてエネルギーを吸収するものや、粘弾性体や鋼材を変形させて熱に変えてエネルギーを吸収するものや、揺れによる変形を摩擦による熱エネルギーに変えて吸収するもの等が挙げられる。
【００１２】
木製部材１は、側面視（図１の紙面手前側から紙面奥側へ見た方向）で、柱部分を形成する矩形の柱状部（第１の部位）１１と、柱状部１１と制振ダンパー５とを接続する台形（等脚台形）状の台形部（第２の部位）１２とを有している。本実施の形態では、柱状部１１と台形部１２は一体成形されている。これにより、制振ダンパー５から受ける力を直接台形部１２で受けることができる。
【００１３】
なお、本実施の形態では台形部１２の上底部１２ａと制振ダンパー５とが直接接続されているが、他部材を介して台形部１２の上底部１２ａと制振ダンパー５とが接続されていてもよい。
柱状部１１の両端部１ａには突起（ほぞ）１１１が形成されている。
また、梁２、および柱３の突起１１１に対応する部位には、それぞれ凹部２ａ、３ａが形成されている。
木製部材１の突起１１１が凹部２ａ、３ａに嵌め合わされることにより、木製部材１が梁２、および柱３に離脱可能に固定されている。
【００１４】
木製部材１が有する台形部１２により、制振ダンパー５に近づくにつれて側面視で上下方向の長さが漸減するよう所定角度の傾斜が設けられている。この傾斜により梁２と台形部１２との間に間隙が形成される。従って、梁２へ水平力が作用したときに梁２と台形部１２との接触を抑制することができる。
この建築物１０を形成する際には、まず、土台３に木製部材１と柱４とを立て、梁２を取り付ける。その後、制振ダンパー５を柱４に取り付ける。
【００１５】
以上述べたように、建築物１０によれば、柱４と、柱４の両端部に並行して配置される梁２および土台３と、柱４に配置される制振ダンパー５と、梁２および土台３に固定される柱状部１１と制振ダンパー５に接触するように配置される台形部１２とを備える木製部材１を有する建築物１０を形成した。これにより、圧縮に強い構造を容易に形成することができる。また、鋼製ブレースを用いる場合に比べコスト削減が可能になる。例えば、鋼製ブレースは圧縮に弱いため、鋼製ブレースの断面積を大きくすると、鋼製ブレースと柱との接合部の強度も大きくすることになりコスト増大につながる。これは、制振ダンパー５から離れた位置で鋼製ブレースを固定しているからである。
【００１６】
建築物１０では、制振ダンパー５に台形部１２を接触させることにより、実質的な接合部を制振ダンパー５により近い位置にすることができる。従って、制振ダンパー５から受ける力を、鋼製ブレースの接合部で押さえる場合に比べ、より小さい力で押さえることができる。すなわち、特別な部品を用いなくとも木製部材１そのものの材料強度で制振ダンパー５から受ける力を押さえることができる。
【００１７】
なお、台形部１２の上底部１２ａの長さは、図示のものよりも短くしてもよい。例えば、第２の部位の側面視の形状を台形状としたが、これに限らず、三角形状としてもよい。但し、前述したように梁２へ水平力が作用したときに梁２と台形部１２との接触を抑制できる長さであれば、上底部１２ａの長さはなるべく長い方が好ましい。これにより台形部１２の加工量（切削量）を低減させることができる。
＜第２の実施の形態＞
次に、第２の実施の形態の建築物について説明する。
以下、第２の実施の形態の建築物について、前述した第１の実施の形態との相違点を中心に説明し、同様の事項については、その説明を省略する。
図３および図４は、第２の実施の形態の建築物を示す図である。
図３および図４に示す第２の実施の形態の建築物１０ａは、木製部材の構成が第１の実施の形態と異なっている。
【００１８】
図３および図４に示す木製部材１ａは、長さが異なる複数本（図３では５本）の木材１ａ１〜１ａ５が束ねられることにより形成されている。この木材１ａ１〜１ａ５は、ボルト６ａ、６ｂおよび図示しないナットにより留め付けられている。木材１ａ１により柱状部１１が形成されている。木材１ａ２〜１ａ５により台形部１２が形成されている。
【００１９】
なお、図３では、木製部材１ａの台形部１２の側部１２１に段差が生じないように木材１ａ２〜１ａ５を加工しているが、側部１２１を加工せずに側部に階段状の段差を備える木製部材を形成してもよい。
第２の実施の形態の建築物１０ａによれば、第１の実施の形態の建築物１０と同様の効果が得られる。
そして、第２の実施の形態の１０ａによれば、木製部材１ａを一般に流通している部材で形成することができるため、さらなるコスト削減が可能となる。
＜変形例＞
図５は、変形例の建築物を説明する図である。
【００２０】
変形例の建築物１０ｂは、２つの木製部材１が制振ダンパー５を挟み込むような形状をなしている。この変形例の場合、右側の柱状部１１が柱４の代わりをするため柱４は不要である。すなわち、これら２つの木製部材１は、それぞれが備える柱状部１１が、互いに第１の長尺体として機能する。
変形例の建築物１０ｂによれば、建築物１０、１０ａと同様の効果が得られる。
【００２１】
以上、本発明の建築物および木製補強具を、図示の実施の形態に基づいて説明したが、本発明はこれに限定されるものではなく、各部の構成は、同様の機能を有する任意の構成のものに置換することができる。また、本発明に、他の任意の構成物や工程が付加されていてもよい。
また、本発明は、前述した各実施の形態のうちの、任意の２以上の構成（特徴）を組み合わせたものであってもよい。
【符号の説明】
【００２２】
１、１ａ  木製部材
２  梁
３  土台
４  柱
５  制振ダンパー
１０、１０ａ、１０ｂ  建築物
１１  柱状部
１２  台形部
【図１】
2018193730.tif 000003
【図２】
2018193730.tif 000004
【図３】
2018193730.tif 000005
【図４】
2018193730.tif 000006
【図５】
2018193730.tif 000007